(57)【要約】【課題】ＤＡＬＩシステムを用いて、照明装置の照明方向や焦点距離を制御可能な可変照明装置を提供する。【解決手段】照明装置と、調色制御画面の座標指定に対応したＤＡＬＩ信号を、前記照明装置へと送信する制御装置と、を含む可変照明装置であって、前記照明装置は、前記調色制御画面の前記第１領域の座標指定に対応したＤＡＬＩ信号に基づいて、パンモータ及びチルトモータを駆動制御する可変制御部を備える。【選択図】図１
2018125120.tif 000002
【特許請求の範囲】
【請求項１】
照明装置と、調色制御画面の座標指定に対応したＤＡＬＩ信号を、前記照明装置へと送信する制御装置と、を含む可変照明装置であって、
前記照明装置は、
前記座標指定に基づいて、パン又はチルト又はズームを行う、
ことを特徴とする可変照明装置。
【請求項２】
前記照明装置は、
前記調色制御画面の第１領域の前記座標指定に対応したＤＡＬＩ信号に基づいて、パンモータ及びチルトモータを駆動制御する可変制御部を備える、
ことを特徴とする請求項１に記載の可変照明装置。
【請求項３】
前記可変制御部は、
前記調色制御画面の第２領域の前記座標指定に対応したＤＡＬＩ信号に基づいて、フォーカスモータを駆動制御する、
ことを特徴とする請求項２に記載の可変照明装置。
【請求項４】
前記可変制御部は、
前記第１領域の座標指定に対応したＤＡＬＩ信号に基づいて、第１制御信号及び第２制御信号を生成し、前記第２領域の座標指定に対応したＤＡＬＩ信号に基づいて、第３制御信号を生成する制御部と、
前記第１制御信号に基づいて、前記パンモータを駆動制御し、前記第２制御信号に基づいて、前記チルトモータを駆動制御し、前記第３制御信号に基づいて、前記フォーカスモータを駆動制御する駆動回路部と、
を備えることを特徴とする請求項３に記載の可変照明装置。
【請求項５】
前記制御部は、
前記調色制御画面の第３領域の前記座標指定に対応したＤＡＬＩ信号に基づいて、第４制御信号を生成し、
前記駆動回路部は、
前記第４制御信号に基づいて、光源を調光制御する、
ことを特徴とする請求項４に記載の可変照明装置。
【請求項６】
照明装置と、色度図の座標指定に対応したＤＡＬＩ信号を、前記照明装置へと送信する制御装置と、を含む可変照明装置であって、
前記照明装置は、
前記色度図の第１範囲の前記座標指定に対応したＤＡＬＩ信号に基づいて、パンモータを駆動制御し、前記色度図の第２範囲の前記座標指定に対応したＤＡＬＩ信号に基づいて、チルトモータを駆動制御し、前記色度図の第３範囲の前記座標指定に対応したＤＡＬＩ信号に基づいて、フォーカスモータを駆動制御する可変制御部と、
を備えることを特徴とする可変照明装置。
【請求項７】
照明装置と、調色制御画面の座標指定に対応したＤＡＬＩ信号を、前記照明装置へと送信する制御装置と、を含む可変照明装置であって、
前記照明装置は、
第１調色制御画面の第１領域の前記座標指定に対応したＤＡＬＩ信号に基づいて、パンモータ及びチルトモータを駆動制御し、前記第１調色制御画面の第２領域の前記座標指定に対応したＤＡＬＩ信号に基づいて、フォーカスモータを駆動制御し、第２調色制御画面の色度図の座標指定に対応したＤＡＬＩ信号に基づいて、光源を調色制御する可変制御部と、
を備えることを特徴とする可変照明装置。
【請求項８】
前記可変制御部は、
前記第１領域の前記座標指定に対応したＤＡＬＩ信号に基づいて、第１制御信号及び第２制御信号を生成し、前記第２領域の前記座標指定に対応したＤＡＬＩ信号に基づいて、第３制御信号を生成する制御部と、
前記色度図の座標指定に対応したＤＡＬＩ信号に基づいて、第４制御信号を生成する調色制御部と、
前記第１制御信号に基づいて、パンモータを駆動制御し、前記第２制御信号に基づいて、チルトモータを駆動制御し、前記第３制御信号に基づいて、フォーカスモータを駆動制御し、前記第４制御信号に基づいて、光源を調色制御する駆動回路部と、
を備えることを特徴とする請求項７に記載の可変照明装置。
【発明の詳細な説明】
【技術分野】
【０００１】
本発明は、可変照明装置に関する。
【背景技術】
【０００２】
従来より、照明装置の照明方向（パン・チルト）や焦点距離（ズーム）を、ユーザが任意に制御できる照明制御システムが知られている（例えば、特許文献１）。
【０００３】
また、制御装置と照明装置との間で双方向のデジタル通信を行うことで、高度な調光調色制御を実現する照明制御システム（ＤＡＬＩ（Digital Addressable Lighting Interface）システム）が開発されている。
【先行技術文献】
【特許文献】
【０００４】
【特許文献１】特表２０１５−５０５１３６公報
【発明の概要】
【発明が解決しようとする課題】
【０００５】
しかしながら、従来のＤＡＬＩシステムでは、制御装置から照明装置へと送信される調色指示信号（ＤＡＬＩ信号）を、照明装置のパン・チルト・ズーム制御に利用することはなかった。
【０００６】
そこで、本発明は、ＤＡＬＩシステムを用いて、照明装置の照明方向や焦点距離を制御可能な可変照明装置を提供することを課題とする。
【課題を解決するための手段】
【０００７】
前記した課題を解決するため、照明装置と、調色制御画面の座標指定に対応したＤＡＬＩ信号を、前記照明装置へと送信する制御装置と、を含む可変照明装置であって、前記照明装置は、前記座標指定に基づいて、パン又はチルト又はズームを行う。
【発明の効果】
【０００８】
本発明によれば、ＤＡＬＩシステムを用いて、照明装置の照明方向や焦点距離を制御可能な可変照明装置を提供することができる。
【図面の簡単な説明】
【０００９】
【図１】第１実施形態に係る可変照明装置を示す斜視図である。
【図２】ＣＩＥ−ＸＹＺ表色系による色度図の一例を示す図である。
【図３】第１実施形態に係る可変照明装置を示すブロック図である。
【図４】第１実施形態に係るコントローラのハードウェア構成の一例を示す図である。
【図５】第１実施形態に係るコントローラの操作画面の一例を示す図である。
【図６】第１実施形態に係る可変照明装置の操作方法の一例を示すフローチャートである。
【図７】第１実施形態に係るコントローラの操作画面の一例を示す図である。
【図８】第１実施形態に係る可変照明装置の操作方法の一例を示すフローチャートである。
【図９】第２実施形態に係る可変照明装置を示すブロック図である。
【図１０】第２実施形態に係るコントローラの操作画面の一例を示す図である。
【発明を実施するための形態】
【００１０】
以降、本発明を実施するための形態を、各図を参照して詳細に説明する。
【００１１】
≪第１実施形態≫
〔可変照明装置１００の全体構成〕
まず、図１を参照して、本発明の第１実施形態に係る可変照明装置１００の構成について説明する。
【００１２】
図１に示すように、可変照明装置１００は、照明装置２０と、コントローラ（制御装置）３０と、を備える。
【００１３】
照明装置２０は、可変制御部１０、パンモータ１５、チルトモータ１６、フォーカスモータ１７、光源１８、左右回転部２１、アーム２２、フード２３、等を含む。照明装置２０は、ＬＥＤを光源１８とし、コントローラ３０から送信される調色指示信号（ＤＡＬＩ信号）に基づいて、パンモータ１５、チルトモータ１６、フォーカスモータ１７を駆動制御する。
【００１４】
左右回転部２１は、例えば、天井の固定部に接続され、可変制御部１０と、パンモータ１５と、を備える。左右回転部２１は、アーム２２を保持すると共に、パンモータ１５の駆動によって、図１に示すPan矢印方向に回動する。これにより、照明装置２０の照明方向は、左右にパン（Pan）する。
【００１５】
アーム２２は、左右回転部２１の下側に固定され、チルトモータ１６を備える。アーム２２は、フード２３を保持すると共に、チルトモータ１６の駆動によって、フード２３を、図１に示すTilt矢印方向に回動させる。これにより、照明装置２０の照明方向は、上下にチルト（Tilt）する。
【００１６】
フード２３は、アーム２２によって保持され、フォーカスモータ１７と、光源１８と、を備える。フード２３は、フォーカスモータ１７の駆動によって、光源１８を、図１に示すZoom矢印方向に移動させる。これにより、照明装置２０の焦点距離は、ズームアップ（Zoom Up）又はズームダウン（Zoom Down）する。
【００１７】
コントローラ３０は、例えば、ノートパソコンであり、筐体３１、表示部３２、入力部（例えば、マウス等）３３、等を含む。ユーザが入力部３３を操作し、表示部３２に表示される調色制御画面αを座標指定すると、コントローラ３０は、該座標指定に対応したＤＡＬＩ信号を生成し、生成したＤＡＬＩ信号を照明装置２０へと送信する。なお、コントローラ３０は、タブレット端末やデスクトップパソコン等であっても良い。
【００１８】
例えば、コントローラ３０が、調色制御画面αの第１領域の座標指定に対応したＤＡＬＩ信号を、照明装置２０へと送信すると、可変制御部１０が、該ＤＡＬＩ信号に基づいて、パンモータ１５及びチルトモータ１６を駆動制御する。また、例えば、コントローラ３０が、調色制御画面αの第２領域の座標指定に対応したＤＡＬＩ信号を、照明装置２０へと送信すると、可変制御部１０が、該ＤＡＬＩ信号に基づいて、フォーカスモータ１７を駆動制御する。これにより、可変照明装置１００において、照明装置の照明方向（パン・チルト）や焦点距離（ズーム）を変化させることができる。
【００１９】
〔調色制御画面〕
上述のように、コントローラ３０の表示部３２には、調色制御画面αが表示される。ここで、図２を参照して、調色制御画面αの一例であるＣＩＥ（国際照明委員会）−ＸＹＺ表色系による色度図について説明する。
【００２０】
図２に示すように、ＣＩＥ−ＸＹＺ表色系による色度図は、略釣鐘形状をしており、ユーザは、色度図に基づいて、光源の色相及び彩度を指定できる。色度座標のＸ軸は、赤（Ｒ）の比率を表し、色度座標のＹ軸は、緑（Ｇ）の比率を表している。
【００２１】
色度図の中心（白色点）は、最も低彩度となり、色度図の中心から色度図の周辺へと向かうにしたがって、彩度が高くなり、色度図の周辺は、最も高彩度となる。また、色相は、釣鐘形状に湾曲している部分と対応して、赤→橙→黄→緑→青→藍→青紫の順に変化する。色度図の周辺は、波長380nm〜780nm（青紫色〜赤色）の単色光を表し、色度図の内側は、単色光の組み合わせである複色光を表している。
【００２２】
Ｘ軸の数値が大きくなる程、赤（Ｒ）の比率が増し、Ｘ軸の数値が小さくなる程、青（Ｂ）の比率が増す。また、Ｙ軸の数値が大きくなる程、緑（Ｇ）の比率が増し、Ｙ軸の数値が小さくなる程、青（Ｂ）の比率が増す。なお、Ｂ（青）の比率は、赤（Ｒ）の比率と緑（Ｇ）の比率との和を１から差し引いた値となる。
【００２３】
本実施形態に係る可変照明装置１００では、ユーザが、ＣＩＥ−ＸＹＺ表色系による色度図を座標指定すると、該座標指定に対応したＤＡＬＩ信号が、コントローラ３０から可変制御部１０へと送信され、可変制御部１０は、ＤＡＬＩ信号に基づいて、パンモータ１５、チルトモータ１６、フォーカスモータ１７を駆動制御する。
【００２４】
詳細は後述するが、例えば、ユーザが、色度図の赤（Ｒ）から緑（Ｇ）（又は緑（Ｇ）から赤（Ｒ））の範囲（第１範囲）の所定座標を指定すると、第１範囲の座標指定に対応したＤＡＬＩ信号が、コントローラ３０から可変制御部１０へと送信され、可変制御部１０は、パンモータ１５を駆動制御する。また、例えば、ユーザが、色度図の緑（Ｇ）から青（Ｂ）（又は青（Ｂ）から緑（Ｇ））の範囲（第２範囲）の所定座標を指定すると、第２範囲の座標指定に対応したＤＡＬＩ信号が、コントローラ３０から可変制御部１０へと送信され、可変制御部１０は、チルトモータ１６を駆動制御する。また、例えば、ユーザが、色度図の青（Ｂ）から赤（Ｒ）（又は赤（Ｒ）から青（Ｂ））の範囲（第３範囲）の所定座標を指定すると、第３範囲の座標指定に対応したＤＡＬＩ信号が、コントローラ３０から可変制御部１０へと送信され、可変制御部１０は、フォーカスモータ１７を駆動制御する。
【００２５】
なお、調色制御画面αは、ＣＩＥ−ＸＹＺ表色系による色度図に限定されるものではなく、色相や彩度の変化を、ユーザが認識できる画面であれば良い。
【００２６】
〔照明装置２０及びコントローラ３０の構成〕
次に、図３及び図４を参照して、照明装置２０及びコントローラ３０の構成の一例について説明する。
【００２７】
図３は、照明装置２０及びコントローラ３０の構成を示すブロック図である。
【００２８】
図３に示すように、コントローラ３０は、ＤＡＬＩマスター３０１、等を含み、照明装置２０は、可変制御部１０、パンモータ１５、チルトモータ１６、フォーカスモータ１７、等を含む。可変制御部１０は、制御部１１、駆動回路部１２、等を含み、駆動回路部１２は、モータ駆動回路１２−１、モータ駆動回路１２−２、モータ駆動回路１２−３、等を含む。
【００２９】
ＤＡＬＩマスター３０１は、調色制御画面の座標指定に対応したＤＡＬＩ信号を生成し、生成したＤＡＬＩ信号を照明装置２０（可変制御部１０）へと送信する。ＤＡＬＩ信号は、調色指示信号であり、例えば、上述のＣＩＥ−ＸＹＺ表色系による色度図に基づいて、生成される。
【００３０】
可変制御部１０は、ＤＡＬＩマスター３０１によって生成されるＤＡＬＩ信号を受信し、受信したＤＡＬＩ信号に基づいて、パンモータ１５、チルトモータ１６、フォーカスモータ１７を駆動制御（例えば、回転方向、回転速度、回転位置、等の制御）する。また、可変制御部１０は、ＤＡＬＩマスター３０１によって生成されるＤＡＬＩ信号を受信し、受信したＤＡＬＩ信号に基づいて、パンモータ１５、チルトモータ１６、フォーカスモータ１７を駆動制御するのみならず、光源を調光制御すること等も可能である。
【００３１】
制御部１１は、調色制御画面の座標指定に対応したＤＡＬＩ信号に基づいて、制御信号を生成し、該制御信号を駆動回路部１２へと出力する。例えば、制御部１１は、調色制御画面の第１領域の座標指定に対応したＤＡＬＩ信号に基づいて、パンモータ１５の駆動制御を行うための第１制御信号Ｓ１、及びチルトモータ１６の駆動制御を行うための第２制御信号Ｓ２を生成し、第１制御信号Ｓ１及び第２制御信号Ｓ２を駆動回路部１２へと出力する。また、例えば、制御部１１は、調色制御画面の第２領域の座標指定に対応したＤＡＬＩ信号に基づいて、フォーカスモータ１７の駆動制御を行うための第３制御信号Ｓ３を生成し、第３制御信号Ｓ３を駆動回路部１２へと出力する。
【００３２】
第１制御信号Ｓ１、第２制御信号Ｓ２、第３制御信号Ｓ３は、例えば、各モータの回転方向の指示、各モータの回転速度の指示、各モータの回転位置の指示、等を含んでいる。例えば、第１制御信号Ｓ１、第２制御信号Ｓ２、第３制御信号Ｓ３がプラスであれば、パンモータ１５、チルトモータ１６、フォーカスモータ１７の回転方向が正回転し、第１制御信号Ｓ１、第２制御信号Ｓ２、第３制御信号Ｓ３がマイナスであれば、パンモータ１５、チルトモータ１６、フォーカスモータ１７の回転方向が逆回転する。
【００３３】
駆動回路部１２は、制御部１１から出力される制御信号（Ｓ１，Ｓ２，Ｓ３）に基づいて、パンモータ１５、チルトモータ１６、フォーカスモータ１７を駆動制御する。また、駆動回路部１２は、制御部１１から出力される制御信号に基づいて、光源を調光制御することも可能である（図示せず）。
【００３４】
具体的には、モータ駆動回路１２−１は、第１制御信号Ｓ１に基づいて、第１駆動信号Ｕ１を生成し、第１駆動信号Ｕ１をパンモータ１５へと出力する。これにより、パンモータ１５が回転し、照明装置２０の照明方向は、左右に調整される。また、モータ駆動回路１２−２は、第２制御信号Ｓ２に基づいて、第２駆動信号Ｕ２を生成し、第２駆動信号Ｕ２をチルトモータ１６へと出力する。これにより、チルトモータ１６が回転し、照明装置２０の照明方向は、上下に調整される。また、モータ駆動回路１２−３は、第３制御信号Ｓ３に基づいて、第３駆動信号Ｕ３を生成し、第３駆動信号Ｕ３をフォーカスモータ１７へと出力する。これにより、フォーカスモータ１７が回転し、照明装置２０の焦点距離は、前後に調整される。
【００３５】
図４は、コントローラ３０のハードウェア構成の一例を示す図である。
【００３６】
図４に示すように、コントローラ３０は、表示部３２と、入力部３３と、通信部３４と、ＣＰＵ（central processing unit）３５と、ＲＡＭ（random access memory）３６と、ＲＯＭ（read only memory）３７と、ＨＤＤ（hard disk drive）３８と、これらを接続するバス３９と、を備えている。バス３９は、各部を接続して、相互にデータの授受を実行する。
【００３７】
ＣＰＵ３５は、ＲＡＭ３６、ＲＯＭ３７、ＨＤＤ３８、等の記憶領域に記憶される制御プログラムを実行する。ＲＡＭ３６は、ＣＰＵ３５がプログラムを実行するための、作業用記憶領域として用いられる。ＲＯＭ３７及びＨＤＤ３８は、ＣＰＵ３５が実行するプログラム、プログラムが使用する各種データ、等を記憶する。
【００３８】
表示部３２は、例えば、液晶ディスプレイ、等であって、表示部３２には、調色制御画面αが表示される。入力部３３は、例えば、ユーザからの操作入力を受け付けるマウス、キーボード、等のポインティングデバイスである。通信部３４は、照明装置２０との間で、データの送受信を行い、例えば、ＤＡＬＩ信号を照明装置２０へと送信する。なお、コントローラ３０は、タッチパネル等を介して、ユーザからの操作入力を受け付けることも可能である。
【００３９】
〔可変照明装置１００の操作方法〕
次に、図５及び図６を参照して、可変照明装置１００の操作方法について説明する。
【００４０】
図５は、コントローラ３０の操作画面の一例を示す図である。
【００４１】
図５に示す例では、調色制御画面αを、第１領域１０１、第２領域１０２、第３領域１０３に分けている。
【００４２】
調色制御画面α、第１領域１０１、第２領域１０２、第３領域１０３を、それぞれ座標表示すると、調色制御画面αは、座標（０，０）、座標（Ｘ３，０）、座標（Ｘ３，Ｙ３）、座標（０，Ｙ３）で囲まれた領域である。第１領域１０１は、座標（０，０）、座標（Ｘ２，０）、座標（Ｘ２，Ｙ２）、座標（０，Ｙ２）で囲まれた領域である。第２領域１０２は、座標（Ｘ２，０）、座標（Ｘ３，０）、座標（Ｘ３，Ｙ３）、座標（Ｘ２，Ｙ３）で囲まれた領域である。第３領域１０３は、座標（０，Ｙ２）、座標（Ｘ３，Ｙ２）、座標（Ｘ３，Ｙ３）、座標（０，Ｙ３）で囲まれた領域である。なお、座標（Ｘ１，０）は、座標（Ｘ３，０）と座標（０，０）との中点であり、座標（０，Ｙ１）は、座標（０，Ｙ３）と座標（０，０）との中点である。
【００４３】
また、初期位置とは、照明装置２０のパン・チルト制御においては、座標（Ｘ１，Ｙ１）に対応する照明装置２０の位置（右方向、左方向、上方向、下方向の何れにも移動していない位置）を指し、照明装置２０のズーム制御においては、座標（Ｘ２〜Ｘ３，Ｙ１）に対応する照明装置２０の位置（遠隔方向、近接方向の何れにも移動していない位置）を指す。
【００４４】
ユーザが、第１領域１０１において、例えば、所定座標（Ｘ１，Ｙａ１）で、マウスをクリックすると、コントローラ３０は、第１領域１０１の座標指定に対応したＤＡＬＩ信号を、可変制御部１０へと送信し、可変制御部１０は、パンモータ１５を逆回転させるための第１制御信号Ｓ１を生成する。また、可変制御部１０は、第１制御信号Ｓ１に基づいて、パンモータ１５を駆動制御する。これにより、左右回転部２１は、左方向にパン回転し、照明装置２０の照明方向は、初期位置の方向から左方向へと移動する。
【００４５】
また、ユーザが、第１領域１０１において、例えば、所定座標（Ｘ１，Ｙａ２）で、マウスをクリックすると、コントローラ３０は、第１領域１０１の座標指定に対応したＤＡＬＩ信号を、可変制御部１０へと送信し、可変制御部１０は、パンモータ１５を正回転させるための第１制御信号Ｓ１を生成する。また、可変制御部１０は、第１制御信号Ｓ１に基づいて、パンモータ１５を駆動制御する。これにより、左右回転部２１は、右方向にパン回転し、照明装置２０の照明方向は、初期位置の方向から右方向へと移動する。
【００４６】
また、ユーザが、第１領域１０１において、例えば、所定座標（Ｘｂ１，Ｙ１）で、マウスをクリックすると、コントローラ３０は、第１領域１０１の座標指定に対応したＤＡＬＩ信号を、可変制御部１０へと送信し、可変制御部１０は、チルトモータ１６を逆回転させるための第２制御信号Ｓ２を生成する。また、可変制御部１０は、第２制御信号Ｓ２に基づいて、チルトモータ１６を駆動制御する。これにより、フード２３は、下方向にチルト回転し、照明装置２０の照明方向は、初期位置の方向から下方向へと移動する。
【００４７】
また、ユーザが、第１領域１０１において、例えば、所定座標（Ｘｂ１，Ｙ１）で、マウスをクリックすると、コントローラ３０は、第１領域１０１の座標指定に対応したＤＡＬＩ信号を、可変制御部１０へと送信し、可変制御部１０は、チルトモータ１６を正回転させるための第２制御信号Ｓ２を生成する。また、可変制御部１０は、第２制御信号Ｓ２に基づいて、チルトモータ１６を駆動制御する。これにより、フード２３は、上方向にチルト回転し、照明装置２０の照明方向は、初期位置の方向から上方向へと移動する。
【００４８】
また、ユーザが、第２領域１０２において、例えば、所定座標（Ｘｃ１，Ｙｃ１）で、マウスをクリックすると、コントローラ３０は、第２領域１０２の座標指定に対応したＤＡＬＩ信号を、可変制御部１０へと送信し、可変制御部１０は、フォーカスモータ１７を逆回転させるための第３制御信号Ｓ３を生成する。また、可変制御部１０は、第３制御信号Ｓ３に基づいて、フォーカスモータ１７を駆動制御する。これにより、照明装置２０の焦点距離は、初期位置での距離より短くなり、ズームアップ（Zoom Up）する。
【００４９】
また、ユーザが、第２領域１０２において、例えば、所定座標（Ｘｃ２，Ｙｃ２）で、マウスをクリックすると、コントローラ３０は、第２領域１０２の座標指定に対応したＤＡＬＩ信号を、可変制御部１０へと送信し、可変制御部１０は、フォーカスモータ１７を正回転させるための第３制御信号Ｓ３を生成する。また、可変制御部１０は、第３制御信号Ｓ３に基づいて、フォーカスモータ１７を駆動制御する。これにより、照明装置２０の焦点距離は、初期位置での距離より長くなり、ズームダウン（ZoomDown）する。
【００５０】
また、ユーザが、第３領域１０３において、例えば、所定座標（Ｘｌ１，Ｙｌ１）で、マウスをクリックすると、コントローラ３０は、第３領域１０３の座標指定に対応したＤＡＬＩ信号を、可変制御部１０へと送信し、可変制御部１０は、光源１８の光量を増大させるための第４制御信号Ｓ４を生成する（図示せず）。また、可変制御部１０は、第４制御信号Ｓ４に基づいて、光源１８を調光制御する。これにより、照明装置２０の光量は、徐々に増大し、照明装置２０は、明るくなる。第４制御信号Ｓ４は、例えば、光源１８の光量の指示、等を含んでいる。
【００５１】
また、ユーザが、第３領域１０３において、例えば、所定座標（Ｘｌ２，Ｙｌ２）で、マウスをクリックすると、コントローラ３０は、第３領域１０３の座標指定に対応したＤＡＬＩ信号を、可変制御部１０へと送信し、可変制御部１０は、光源１８の光量を減少させるための第４制御信号Ｓ４を生成する。また、可変制御部１０は、第４制御信号Ｓ４に基づいて、光源１８を調光制御する。これにより、照明装置２０の光量は、徐々に減少し、照明装置２０は、暗くなる。
【００５２】
即ち、図５に示す例では、ユーザが、第１領域１０１において、例えば、所定座標（Ｘ１，Ｙａ１）、所定座標（Ｘ１，Ｙａ２）、所定座標（Ｘｂ１，Ｙ１）、所定座標（Ｘｂ２，Ｙ１）で、マウスをクリックすると、照明装置の照明方向（パン・チルト）が制御され、第２領域１０２において、例えば、所定座標（Ｘｃ１，Ｙｃ１）、所定座標（Ｘｃ２，Ｙｃ２）で、マウスをクリックすると、照明装置の焦点距離（ズーム）が制御され、第３領域１０３において、例えば、所定座標（Ｘｌ１，Ｙｌ１）、所定座標（Ｘｌ２，Ｙｌ２）で、マウスをクリックすると、照明装置の光量が制御される。
【００５３】
なお、図５では、可変制御部１０が、第１領域１０１の座標指定に対応したＤＡＬＩ信号に基づいて、照明装置２０の照明方向（パン・チルト）を制御し、第２領域１０２の座標指定に対応したＤＡＬＩ信号に基づいて、照明装置２０の焦点距離（ズーム）を制御し、第３領域１０３の座標指定に対応したＤＡＬＩ信号に基づいて、照明装置２０の調光を制御する場合を一例に挙げて説明しているが、これに限定されるものではない。例えば、可変制御部１０が、第２領域１０２の座標指定に対応したＤＡＬＩ信号に基づいて、照明装置２０の照明方向（パン・チルト）を制御しても良いし、第３領域１０３の座標指定に対応したＤＡＬＩ信号に基づいて、照明装置２０の焦点距離（ズーム）を制御しても良い。
【００５４】
即ち、照明装置２０の照明方向（パン・チルト）を制御するための領域、照明装置２０の焦点距離（ズーム）を制御するための領域、照明装置２０の調光を制御するための領域を、何れの領域（例えば、第１領域１０１、第２領域１０２、第３領域１０３）に割り当てるかは、ユーザが任意に決定することが可能である。また、図５に示す例では、可変照明装置１００が、照明装置２０のパン・チルト・ズーム、及び調光を制御する例を一例に挙げて説明しているが、可変照明装置１００が、照明装置２０のパン・チルト・ズームのみを制御することも可能である。
【００５５】
このように、ユーザは、表示部３２に表示される調色制御画面αの所定領域を、マウスでクリックするという簡単な操作で、照明装置２０の照明方向（パン、チルト）及び照明装置２０の焦点距離（ズーム）を制御することができる。
【００５６】
図６は、可変照明装置１００の操作方法の一例を示すフローチャートである。
【００５７】
コントローラ３０の表示部３２に、調色制御画面α（図５参照）が表示されているとき、ユーザは、操作を開始する。
【００５８】
ステップＳ７１において、ユーザは、入力部（例えば、マウス）３３を使用して、調色制御画面αの所定領域をクリックし、座標（ＸＹ座標）を指定する。
【００５９】
ステップＳ７２において、コントローラ３０は、ユーザによる調色制御画面αの座標指定に対応したＤＡＬＩ信号を、可変制御部１０に送信する。
【００６０】
ステップＳ７３において、可変制御部１０は、受信したＤＡＬＩ信号が、調色制御画面αの第１領域１０１に対応するか否かを判定する。第１領域１０１に対応する場合（ステップＳ７３→Ｙｅｓ）、可変制御部１０は、ステップＳ７４の処理へと進む。第１領域１０１に対応しない場合（ステップＳ７３→Ｎｏ）、可変制御部１０は、ステップＳ７６の処理へと進む。
【００６１】
ステップＳ７４において、可変制御部１０は、第１領域１０１のＸ座標に対応したＤＡＬＩ信号に基づいて、第１制御信号Ｓ１を生成し、第１制御信号Ｓ１に基づいて、第１駆動信号Ｕ１を生成し、第１駆動信号Ｕ１をパンモータ１５へと出力する。これにより、パンモータ１５が回転し、照明装置２０の照明方向は、左右に調整される。
【００６２】
ステップＳ７５において、可変制御部１０は、第１領域１０１のＹ座標に対応したＤＡＬＩ信号に基づいて、第２制御信号Ｓ２を生成し、第２制御信号Ｓ２に基づいて、第２駆動信号Ｕ２を生成し、第２駆動信号Ｕ２をチルトモータ１６へと出力する。これにより、チルトモータ１６が回転し、照明装置２０の照明方向は、上下に調整される。
【００６３】
ステップＳ７６において、可変制御部１０は、受信したＤＡＬＩ信号が、調色制御画面αの第２領域１０２に対応するか否かを判定する。第２領域１０２に対応する場合（ステップＳ７６→Ｙｅｓ）、可変制御部１０は、ステップＳ７７の処理へと進む。第２領域１０２に対応しない場合（ステップＳ７６→Ｎｏ）、可変制御部１０は、ステップＳ７８の処理へと進む。
【００６４】
ステップＳ７７において、可変制御部１０は、第２領域１０２のＹ座標に対応したＤＡＬＩ信号に基づいて、第３制御信号Ｓ３を生成し、第３制御信号Ｓ３に基づいて、第３駆動信号Ｕ３を生成し、第３駆動信号Ｕ３をフォーカスモータ１７へと出力する。これにより、フォーカスモータ１７が回転し、照明装置２０の焦点距離は、前後に調整される。
【００６５】
ステップＳ７８において、可変制御部１０は、第３領域１０３のＸ座標に対応したＤＡＬＩ信号に基づいて、第４制御信号Ｓ４を生成し、第４制御信号Ｓ４に基づいて、第４駆動信号Ｕ４を生成し、第４駆動信号Ｕ４を光源１８へと出力する。これにより、光源１８の光量が変化し、照明装置２０の明るさ又は暗さが調整される。
【００６６】
以上により、図６に示す可変照明装置１００の操作が終了する。
【００６７】
本実施形態に係る可変照明装置１００によれば、本来であれば照明装置の調色を制御するための調色指示信号（ＤＡＬＩ信号）を、照明装置のパン・チルト・ズームの制御に利用する。従って、ＤＡＬＩシステムを用いて、照明装置の照明方向や焦点距離を制御可能な可変照明装置１００を提供することができる。また、専用リモコン等を別途用意して、照明システムを構築しないで済むため、安価な可変照明装置１００を提供することができる。
【００６８】
〔操作方法の変形例〕
次に、図７及び図８を参照して、図５及び図６とは異なる可変照明装置１００の操作方法について説明する。
【００６９】
図７は、可変照明装置１００の操作方法の一例を示す図である。
【００７０】
図７に示す例では、図５に示す例のように、調色制御画面αを、第１領域１０１、第２領域１０２、第３領域１０３に分けることはせずに、色度図の所定範囲に対応させて、照明装置２０の照明方向（パン・チルト）、及び照明装置２０の焦点距離（ズーム）を制御する。即ち、図５に示す例では、色度図とは無関係に、ＤＡＬＩ信号を各制御に割り当てているが、図７に示す例では、色度図と関連付けて、ＤＡＬＩ信号を各制御に割り当てている。
【００７１】
また、初期位置とは、照明装置２０のパン制御においては、色相が赤（Ｒ）色である所定座標と色相が緑（Ｇ）色である所定座標との中点（色相が略黄色である所定座標）に対応する照明装置２０の位置（右方向、左方向の何れにも移動していない位置）を指す。また、照明装置２０のチルト制御においては、色相が緑（Ｇ）色である所定座標と色相が青（Ｂ）色である所定座標との中点（色相が略青緑色である所定座標）に対応する照明装置２０の位置（上方向、下方向の何れにも移動していない位置）を指す。また、照明装置２０のズーム制御においては、色相が青（Ｂ）色である所定座標と色相が赤（Ｒ）色である所定座標との中点（色相が略桃色である所定座標）に対応する照明装置２０の位置（遠隔方向、近接方向の何れにも移動していない位置）を指す。
【００７２】
ユーザが、第１範囲Ｄ（例えば、色相が黄色である所定座標から色相が緑色である所定座標までの範囲）において、所定座標でマウスをクリックすると、コントローラ３０は、第１範囲Ｄの座標指定に対応したＤＡＬＩ信号を、可変制御部１０へと送信し、可変制御部１０は、パンモータ１５を正回転させるための第１制御信号Ｓ１を生成する。また、可変制御部１０は、第１制御信号Ｓ１に基づいて、パンモータ１５を駆動制御する。これにより、左右回転部２１は、右方向にパン回転し、照明装置２０の照明方向は、初期位置の方向から右方向へと移動する。
【００７３】
また、ユーザが、第１範囲Ｄ（例えば、色相が黄色である所定座標から色相が赤色である所定座標までの範囲）において、所定座標でマウスをクリックすると、コントローラ３０は、第１範囲Ｄの座標指定に対応したＤＡＬＩ信号を、可変制御部１０へと送信し、可変制御部１０は、パンモータ１５を逆回転させるための第１制御信号Ｓ１を生成する。また、可変制御部１０は、第１制御信号Ｓ１に基づいて、パンモータ１５を駆動制御する。これにより、左右回転部２１は、左方向にパン回転し、照明装置２０の照明方向は、初期位置の方向から左方向へと移動する。
【００７４】
また、ユーザが、第２範囲Ｅ（例えば、色相が青緑色である所定座標から色相が緑色である所定座標までの範囲）において、所定座標でマウスをクリックすると、コントローラ３０は、第２範囲Ｅの座標指定に対応したＤＡＬＩ信号を、可変制御部１０へと送信し、可変制御部１０は、チルトモータ１６を逆回転させるための第２制御信号Ｓ２を生成する。また、可変制御部１０は、第２制御信号Ｓ２に基づいて、チルトモータ１６を駆動制御する。これにより、フード２３は、下方向にチルト回転し、照明装置２０の照明方向は、初期位置の方向から下方向へと移動する。
【００７５】
また、ユーザが、第２範囲Ｅ（例えば、色相が青緑色である所定座標から色相が青色である所定座標までの範囲）において、所定座標でマウスをクリックすると、コントローラ３０は、第２範囲Ｅの座標指定に対応したＤＡＬＩ信号を、可変制御部１０へと送信し、可変制御部１０は、チルトモータ１６を正回転させるための第２制御信号Ｓ２を生成する。また、可変制御部１０は、第２制御信号Ｓ２に基づいて、チルトモータ１６を駆動制御する。これにより、フード２３は、上方向にチルト回転し、照明装置２０の照明方向は、初期位置の方向から上方向へと移動する。
【００７６】
また、ユーザが、第３範囲Ｆ（例えば、色相が桃色である所定座標から色相が赤色である所定座標までの範囲）において、所定座標でマウスをクリックすると、コントローラ３０は、第３範囲Ｆの座標指定に対応したＤＡＬＩ信号を、可変制御部１０へと送信し、可変制御部１０は、フォーカスモータ１７を正回転させるための第３制御信号Ｓ３を生成する。また、可変制御部１０は、第３制御信号Ｓ３に基づいて、フォーカスモータ１７を駆動制御する。これにより、照明装置２０の焦点距離は、初期位置での距離より長くなり、ズームダウン（ZoomDown）する。
【００７７】
また、ユーザが、第３範囲Ｆ（例えば、色相が桃色である所定座標から色相が青色である所定座標までの範囲）において、所定座標でマウスをクリックすると、コントローラ３０は、第３範囲Ｆの座標指定に対応したＤＡＬＩ信号を、可変制御部１０へと送信し、可変制御部１０は、フォーカスモータ１７を逆回転させるための第３制御信号Ｓ３を生成する。また、可変制御部１０は、第３制御信号Ｓ３に基づいて、フォーカスモータ１７を駆動制御する。これにより、照明装置２０の焦点距離は、初期位置での距離より短くなり、ズームアップ（Zoom Up）する。
【００７８】
即ち、図７に示す例では、ユーザが、色度図の第１範囲Ｄにおいて、所定座標でマウスをクリックすると、照明装置の照明方向（パン）が制御され、色度図の第２範囲Ｅにおいて、所定座標でマウスをクリックすると、照明装置の照明方向（チルト）が制御され、色度図の第３範囲Ｆにおいて、所定座標でマウスをクリックすると、照明装置の焦点距離（ズーム）が制御される。
【００７９】
なお、図７では、可変制御部１０が、第１範囲Ｄの座標指定に対応したＤＡＬＩ信号に基づいて、照明装置２０の照明方向（パン）を制御し、第２範囲Ｅの座標指定に対応したＤＡＬＩ信号に基づいて、照明装置２０の照明方向（チルト）を制御し、第３範囲Ｆの座標指定に対応したＤＡＬＩ信号に基づいて、照明装置２０の焦点距離（ズーム）を制御する場合を一例に挙げて説明しているが、これに限定されるものではない。例えば、可変制御部１０が、第２範囲Ｅの座標指定に対応したＤＡＬＩ信号に基づいて、照明装置２０の照明方向（パン）を制御しても良いし、第１範囲Ｄの座標指定に対応したＤＡＬＩ信号に基づいて、照明装置２０の焦点距離（ズーム）を制御しても良い。
【００８０】
即ち、照明装置２０の照明方向（パン・チルト）を制御するための範囲、照明装置２０の焦点距離（ズーム）を制御するための範囲を、何れの範囲（例えば、第１範囲Ｄ、第２範囲Ｅ、第３範囲Ｆ）に割り当てるかは、ユーザが任意に決定することが可能である。
【００８１】
このように、ユーザは、表示部３２に表示される色度図の内側（調色制御画面α）を、マウスでクリックするという簡単な操作で、照明装置２０の照明方向（パン、チルト）及び照明装置２０の焦点距離（ズーム）を制御することができる。また、色度図と関連付けて、照明装置２０の照明方向（パン、チルト）及び照明装置２０の焦点距離（ズーム）を制御することで、ユーザにとって、使い勝手の良い可変照明装置１００を提供することができる。
【００８２】
図８は、可変照明装置１００の操作方法の一例を示すフローチャートである。
【００８３】
コントローラ３０の表示部３２に、調色制御画面α（図７参照）が表示されているとき、ユーザは、操作を開始する。
【００８４】
ステップＳ８１において、ユーザは、入力部（例えば、マウス）３３を使用して、調色制御画面αの所定範囲をクリックし、座標（ＸＹ座標）を指定する。
【００８５】
ステップＳ８２において、コントローラ３０は、ユーザが指定した色度図の座標指定に対応したＤＡＬＩ信号を、可変制御部１０に送信する。
【００８６】
ステップＳ８３において、可変制御部１０は、クリック範囲が第１範囲Ｄ、第２範囲Ｅ、第３範囲Ｆ、の何れであるかを判定する。ユーザが、第１範囲Ｄをマウスでクリックした場合（ステップＳ８３→Ｄ）、可変制御部１０は、ステップＳ８４の処理へと進む。ユーザが、第２範囲Ｅををマウスでクリックした場合（ステップＳ８３→Ｅ）、可変制御部１０は、ステップＳ８５の処理へと進む。ユーザが、第３範囲Ｆをマウスでクリックした場合（ステップＳ８３→Ｆ）、可変制御部１０は、ステップＳ８６の処理へと進む。
【００８７】
ステップＳ８４において、可変制御部１０は、第１範囲Ｄの座標指定に対応したＤＡＬＩ信号に基づいて、第１制御信号Ｓ１を生成し、第１制御信号Ｓ１に基づいて、第１駆動信号Ｕ１を生成し、第１駆動信号Ｕ１をパンモータ１５へと出力する。これにより、パンモータ１５が回転し、照明装置２０の照明方向は、左右に調整される。
【００８８】
ステップＳ８５において、可変制御部１０は、第２範囲Ｅの座標指定に対応したＤＡＬＩ信号に基づいて、第２制御信号Ｓ２を生成し、第２制御信号Ｓ２に基づいて、第２駆動信号Ｕ２を生成し、第２駆動信号Ｕ２をチルトモータ１６へと出力する。これにより、チルトモータ１６が回転し、照明装置２０の照明方向は、上下に調整される。
【００８９】
ステップＳ８６において、可変制御部１０は、第３範囲Ｆの座標指定に対応したＤＡＬＩ信号に基づいて、第３制御信号Ｓ３を生成し、第３制御信号Ｓ３に基づいて、第３駆動信号Ｕ３を生成し、第３駆動信号Ｕ３をフォーカスモータ１７へと出力する。これにより、フォーカスモータ１７が回転し、照明装置２０の焦点距離は、前後に調整される。
【００９０】
以上により、図８に示す可変照明装置１００の操作が終了する。
【００９１】
本実施形態に係る可変照明装置１００によれば、本来であれば照明装置の調色を制御するための調色指示信号（ＤＡＬＩ信号）を、照明装置のパン・チルト・ズームの制御に利用する。従って、ＤＡＬＩシステムを用いて、照明装置の照明方向や焦点距離を制御可能な可変照明装置１００を提供することができる。また、専用リモコン等を別途用意して、照明システムを構築しないで済むため、安価な可変照明装置１００を提供することができる。
【００９２】
≪第２実施形態≫
〔可変照明装置２００の構成〕
次に、図９を参照して、本発明の第２実施形態に係る可変照明装置２００の構成について説明する。図９は、照明装置２０ａ及びコントローラ３０の構成を示すブロック図である。
【００９３】
図９に示すように、コントローラ３０は、ＤＡＬＩマスター３０１、等を含み、照明装置２０ａは、可変制御部１０、パンモータ１５、チルトモータ１６、フォーカスモータ１７、光源１８、等を含む。可変制御部１０は、制御部１１、駆動回路部１２、調色制御部１３、等を含み、駆動回路部１２は、モータ駆動回路１２−１、モータ駆動回路１２−２、モータ駆動回路１２−３、駆動回路１２−４、等を含む。以下、第１実施形態と同様の構成については、説明を省略する。
【００９４】
可変制御部１０は、ＤＡＬＩマスター３０１によって生成されるＤＡＬＩ信号を受信し、受信したＤＡＬＩ信号に基づいて、パンモータ１５、チルトモータ１６、フォーカスモータ１７を駆動制御（例えば、回転方向、回転速度、回転位置、等の制御）する。また、可変制御部１０は、ＤＡＬＩマスター３０１によって生成されるＤＡＬＩ信号を受信し、受信したＤＡＬＩ信号に基づいて、光源１８の調色を制御する。
【００９５】
制御部１１は、第１調色制御画面（図１０（ａ）参照）の所定領域の座標指定に対応したＤＡＬＩ信号に基づいて、制御信号を生成し、該制御信号を駆動回路部１２へと出力する。第１調色制御画面とは、ＤＡＬＩチャンネル１による制御で使用される操作画面である。
【００９６】
例えば、制御部１１は、第１調色制御画面の第１領域１０１の座標指定に対応したＤＡＬＩ信号に基づいて、パンモータ１５の駆動制御を行うための第１制御信号Ｓ１、及びチルトモータ１６の駆動制御を行うための第２制御信号を生成し、第１制御信号Ｓ１及び第２制御信号を駆動回路部１２へと出力する。また、例えば、制御部１１は、第１調色制御画面の第２領域１０２の座標指定に対応したＤＡＬＩ信号に基づいて、フォーカスモータ１７の駆動制御を行うための第３制御信号Ｓ３を生成し、第３制御信号Ｓ３を駆動回路部１２へと出力する。
【００９７】
調色制御部１３は、第２調色制御画面（図１０（ｂ）参照）の所定領域の座標指定に対応したＤＡＬＩ信号に基づいて、制御信号を生成し、該制御信号を駆動回路部１２へと出力する。第２調色制御画面とは、ＤＡＬＩチャンネル２による制御で使用される操作画面である。
【００９８】
例えば、調色制御部１３は、第２調色制御画面の色度図の座標指定に対応したＤＡＬＩ信号に基づいて、光源１８の調色制御を行うための第４制御信号Ｓ４を生成し、第４制御信号Ｓ４を駆動回路部１２へと出力する。第４制御信号Ｓ４は、例えば、光源１８の色相の指示、光源１８の彩度の指示、等を含んでいる。
【００９９】
駆動回路部１２は、制御部１１から出力される制御信号（Ｓ１、Ｓ２、Ｓ３）に基づいて、パンモータ１５、チルトモータ１６、フォーカスモータ１７を駆動制御し、調色制御部１３から出力される制御信号Ｓ４に基づいて、光源１８を調色制御する。
【０１００】
具体的には、モータ駆動回路１２−１は、第１制御信号Ｓ１に基づいて、第１駆動信号Ｕ１を生成し、第１駆動信号Ｕ１をパンモータ１５へと出力する。これにより、パンモータ１５が回転し、照明装置２０ａの照明方向は、左右に調整される。また、モータ駆動回路１２−２は、第２制御信号Ｓ２に基づいて、第２駆動信号Ｕ２を生成し、第２駆動信号Ｕ２をチルトモータ１６へと出力する。これにより、チルトモータ１６が回転し、照明装置２０ａの照明方向は、上下に調整される。また、モータ駆動回路１２−３は、第３制御信号Ｓ３に基づいて、第３駆動信号Ｕ３を生成し、第３駆動信号Ｕ３をフォーカスモータ１７へと出力する。これにより、フォーカスモータ１７が回転し、照明装置２０ａの焦点距離は、前後に調整される。
【０１０１】
また、駆動回路１２−４は、第４制御信号Ｓ４に基づいて、第４駆動信号Ｕ４を生成し、第４駆動信号Ｕ４を光源１８へと出力する。これにより、光源１８の色相が変化し、色相が赤、橙、黄、緑、青、藍、青紫、等に調整され、また、光源１８の彩度が変化し、彩度が高彩度（低彩度）から低彩度（高彩度）へと調整される。
【０１０２】
図１０は、可変照明装置２００に係るコントローラ３０の操作画面の一例を示す図である。図１０（ａ）は、第１調色制御画面２０１の一例であって、ＤＡＬＩチャンネル１による制御で使用される操作画面である。図１０（ｂ）は、第２調色制御画面２０２の一例であって、ＤＡＬＩチャンネル２による制御で使用される操作画面である。
【０１０３】
図１０（ａ）に示すように、ユーザが、第１調色制御画面２０１の第１領域１０１において、例えば、所定座標（Ｘ１，Ｙａ１）、所定座標（Ｘ１，Ｙａ２）で、マウスをクリックすると、コントローラ３０は、第１調色制御画面２０１の第１領域１０１の座標指定に対応したＤＡＬＩ信号を、可変制御部１０へと送信し、可変制御部１０は、パンモータ１５を回転させるための第１制御信号Ｓ１を生成する。また、可変制御部１０は、第１制御信号Ｓ１に基づいて、パンモータ１５を駆動制御する。これにより、左右回転部２１は、左右方向にパン回転し、照明装置２０ａの照明方向は、初期位置の方向から左右方向へと移動する。
【０１０４】
また、ユーザが、第１調色制御画面２０１の第１領域１０１において、例えば、所定座標（Ｘｂ１，Ｙ１）、所定座標（Ｘｂ２，Ｙ１）で、マウスをクリックすると、コントローラ３０は、第１調色制御画面２０１の第１領域１０１の座標指定に対応したＤＡＬＩ信号を、可変制御部１０へと送信し、可変制御部１０は、チルトモータ１６を回転させるための第２制御信号Ｓ２を生成する。また、可変制御部１０は、第２制御信号Ｓ２に基づいて、チルトモータ１６を駆動制御する。これにより、フード２３は、上下方向にチルト回転し、照明装置２０ａの照明方向は、初期位置の方向から上下方向へと移動する。
【０１０５】
また、ユーザが、第１調色制御画面２０１の第２領域１０２において、例えば、所定座標（Ｘｃ１，Ｙｃ１）、所定座標（Ｘｃ２，Ｙｃ２）で、マウスをクリックすると、コントローラ３０は、第１調色制御画面２０１の第２領域１０２の座標指定に対応したＤＡＬＩ信号を、可変制御部１０へと送信し、可変制御部１０は、フォーカスモータ１７を回転させるための第３制御信号Ｓ３を生成する。また、可変制御部１０は、第３制御信号Ｓ３に基づいて、フォーカスモータ１７を駆動制御する。これにより、照明装置２０ａの焦点距離は、ズームアップ（Zoom Up）又はズームダウン（ZoomDown）する。
【０１０６】
図１０（ｂ）に示すように、ユーザが、第２調色制御画面２０２の色度図において、マウスをクリックすると、コントローラ３０は、色度図の座標指定に対応したＤＡＬＩ信号を、可変制御部１０へと送信し、可変制御部１０は、光源１８の調色を制御するための第４制御信号Ｓ４を生成する。また、可変制御部１０は、第４制御信号Ｓ４に基づいて、光源１８の調色を制御する。これにより、光源１８の色相が赤、橙、黄、緑、青、藍、青紫、等に調整され、また、光源１８の彩度が高彩度（低彩度）から低彩度（高彩度）へと調整される。
【０１０７】
本実施形態に係る可変照明装置２００は、照明装置の照明方向（パン・チルト）や焦点距離（ズーム）を制御するための制御部１１と、照明装置の調色を制御するための調色制御部１３と、を有する。このように、可変照明装置２００をマルチチャンネル化することで、調色制御とモータ制御とを完全に分離することができるため、高精度な制御が可能になる。
【０１０８】
（その他の変形例）
本発明は、上記実施形態に限定されることなく、本発明の趣旨を逸脱しない範囲で、変更実施が可能であり、例えば、次の（ａ）〜（ｈ）のようなものがある。
（ａ）  照明装置２０が備えるモータは特に限定されず、任意の種類であってよく、更にその台数も限定されない。
（ｂ）  照明装置２０は１台に限定されず、複数台であっても良い。
（ｃ）  コントローラ３０は、ノートパソコンに限定されず、タブレット端末、デスクトップパソコン、等であっても良い。また、コントローラ３０は、タッチパネルを備えていても良い。
（ｄ）  調色制御画面は、３つの領域に分けられることに限定されず、３つ以上の領域に分けられても良い。
（ｅ）  調色制御画面は、ＣＩＥ−ＸＹＺ表色系による色度図に限定されるものではなく、色相や彩度の変化を、ユーザが認識できる画面であれば良い。
【符号の説明】
【０１０９】
１０            可変制御部
１１            制御部
１２            駆動回路部
１３            調色制御部
１５            パンモータ
１６            チルトモータ
１７            フォーカスモータ
１８            光源
２０，２０ａ    照明装置
２１            左右回転部
２２            アーム
２３            フード
３０            コントローラ（制御装置）
３１            筐体
３２            表示部
３３            入力部
１００，２００  可変照明装置
１０１          第１領域
１０２          第２領域
１０３          第３領域
２０１          第１調色制御画面
２０２          第２調色制御画面
α              調色制御画面
Ｄ              第１範囲
Ｅ              第２範囲
Ｆ              第３範囲
Ｓ１            第１制御信号Ｓ１
Ｓ２            第２制御信号Ｓ２
Ｓ３            第３制御信号Ｓ３
Ｓ４            第４制御信号Ｓ４
【図１】
2018125120.tif 000003
【図２】
2018125120.tif 000004
【図３】
2018125120.tif 000005
【図４】
2018125120.tif 000006
【図５】
2018125120.tif 000007
【図６】
2018125120.tif 000008
【図７】
2018125120.tif 000009
【図８】
2018125120.tif 000010
【図９】
2018125120.tif 000011
【図１０】
2018125120.tif 000012